(57)【要約】【課題】使い勝手を更に向上できる加湿装置を提供することを目的とする。【解決手段】吸込口１と吹出口２を備えた本体ケース３と、本体ケース３内に着脱自在に設けた加湿部４と、吸込口１から吸い込まれた空気を加湿部４を介して吹出口２から吹き出す送風機５とからなり、加湿部４は、水を貯水できる椀形状の貯水容器７と、貯水容器７部内の水に一部が浸漬した加湿フィルター８とを備え、吹出口２と貯水容器７は、本体ケース３の上部に設けられ、吹出口２から貯水容器７内に貯水された水面が見える構造とすることで、使い勝手を更に向上できるものである。【選択図】図２
2018173182.tif 000002
【特許請求の範囲】
【請求項１】
吸込口と吹出口を備えた本体ケースと、
前記本体ケース内に着脱自在に設けた加湿部と、
前記吸込口から吸い込まれた空気を前記加湿部を介して前記吹出口から吹き出す送風機とを備え、
前記加湿部は、水を貯水できる椀形状の貯水容器と、前記貯水容器部内の水に一部が浸漬した加湿フィルターとを備え、
前記吹出口と前記貯水容器は、前記本体ケースの上部に設けられ、前記吹出口から前記貯水容器内に貯水された水面が見えることを特徴とする加湿装置。
【請求項２】
前記加湿フィルターは、筒形状であり、一方側開口端が前記貯水容器部内の水に浸漬し、前記吹出口は、前記加湿フィルターにおける他方側開口端から前記加湿フィルター内と連通していることを特徴とする請求項１に記載の加湿装置。
【請求項３】
前記吹出口と前記加湿フィルターにおける他方側開口端とを繋ぐ連通ガイドを備えたことを特徴とする請求項２に記載の加湿装置。
【発明の詳細な説明】
【技術分野】
【０００１】
本発明は、給水された水を貯水した貯水槽の水に、一部を浸漬した加湿フィルターに通風して加湿する気化式の加湿装置に関するものである。
【背景技術】
【０００２】
従来、この種の加湿装置は、吸込口と吹出口を備えた本体ケースと、本体ケース内に備えた吸込口と吹出口とを連通する風路と、風路に前記本体ケース内に設けた加湿手段と、前記吸込口から吸い込まれた空気を、送風路により、前記加湿手段を介して吹出口から吹き出す送風手段とを備えている。
【０００３】
前記加湿手段は、水を貯水できる椀形状の貯水容器部と、この貯水容器部内の水に一部が浸漬した加湿フィルター部と、前記加湿フィルター部を保持する保持体とからなり、送風手段より上流側に位置し、本体ケース内の下部に着脱自在に設けられていた（例えば、特許文献１参照）。
【先行技術文献】
【特許文献】
【０００４】
【特許文献１】特許第４７７０６２１号公報
【発明の概要】
【発明が解決しようとする課題】
【０００５】
このような従来の加湿機においては、加湿手段が送風手段より上流側に位置し、本体ケース内の下部に位置する構成となっていたので、加湿水の残量を見るためには、本体下部を見る必要があった。また、加湿水を給水する際、加湿装置を本体ケース下部から取り出し、洗面所等の水道まで運び、給水することで貯水容器内に貯水できるものであったため、加湿装置を取り外す際に下にしゃがむことや、給水装置を持って移動するなどの動作が必要であった。
【０００６】
そこで本発明は、上記従来の課題を解決するものであり、本体下部を覗き込む、本体下部から加湿装置を取り出すなどの、しゃがんだ状態での操作を不要とするものであり、使い勝手の向上を図ることを目的とするものである。
【課題を解決するための手段】
【０００７】
そして、この目的を達成するために、本発明の加湿装置は、吸込口と吹出口を備えた本体ケースと、前記本体ケース内に着脱自在に設けた加湿部と、前記吸込口から吸い込まれた空気を前記加湿部を介して前記吹出口から吹き出す送風機とを備え、前記加湿部は、水を貯水できる椀形状の貯水容器と、前記貯水容器部内の水に一部が浸漬した加湿フィルターとを備え、前記吹出口と前記貯水容器は、前記本体ケースの上部に設けられ、前記吹出口から前記貯水容器内に貯水された水面が見えることを特徴とするものであり、これにより所期の目的を達成するものである。
【発明の効果】
【０００８】
本発明によれば、吸込口と吹出口を備えた本体ケースと、前記本体ケース内に着脱自在に設けた加湿部と、前記吸込口から吸い込まれた空気を前記加湿部を介して前記吹出口から吹き出す送風機とを備え、前記加湿部は、水を貯水できる椀形状の貯水容器と、前記貯水容器部内の水に一部が浸漬した加湿フィルターとを備え、前記吹出口と前記貯水容器は、前記本体ケースの上部に設けられ、前記吹出口から前記貯水容器内に貯水された水面が見える構成にしたことにより、貯水容器内に貯水された水量は、しゃがむことなく、本体ケース上方向から、上部の吹出し口を覗き込むことで確認することができるようになる。また、貯水容器を本体ケースから外して水を給水する際、貯水容器が本体ケース上部にあるため、吹出口から貯水容器内に貯水された水面が見える構成であることから、吹出口が給水用開口部を兼ねることとなり、吹出口から給水することで貯水容器内に水を貯水することができるため、使い勝手を更に向上できるものである。
【図面の簡単な説明】
【０００９】
【図１】本発明の実施の形態１の加湿装置の斜視図
【図２】同加湿装置の断面図
【図３】同加湿装置の内部を示す図
【発明を実施するための形態】
【００１０】
以下、本発明の実施の形態について、図１から図３を参照しながら説明する。
【００１１】
（実施の形態１）
図１は、本発明の実施の形態１の加湿装置の斜視図であり、貯水容器を引き出した図である。図２は、本発明の実施の形態１の加湿装置の断面図であり、加湿装置の右側から見た図である。図３は、本発明の実施の形態１の加湿装置の内部を示す図であり、本体ケースにおける天面と側面と背面とを外した図である。
【００１２】
本発明の実施の形態１の加湿装置は、図１、２、３に示すように、吸込口１と吹出口２を備えた略箱形状の本体ケース３を有している。吸込口１は、本体ケース３の左右側面に設けられ、吹出口２は、本体ケース３の天面に設けられている。本体ケース３内には、着脱自在に設けた加湿部４と、吸込口１から吸い込まれた空気を加湿部４を介して吹出口２から吹き出す送風機５とを備えている。
【００１３】
送風機５は、吸込口１と吹出口２と連通する送風路６に設けられ、送風機５は、加湿部４より送風路６における上流側に位置する。
【００１４】
加湿部４は、水を貯水できる椀形状の貯水容器７と、貯水容器７部内の水に一部が浸漬した加湿フィルター８とを備えている。
【００１５】
貯水容器７は、椀形状で、水を貯水でき、本体ケース３の上部に着脱自在に設けられている。本体ケース３の右側面（一方側面側）、上部に設けた開口部９から、水平方向へ摺動させることによって、着脱できる。
【００１６】
加湿フィルター８は、横長四角形の筒形状で、吸い上げ式のタイプである。加湿フィルター８は、上下方向が開口するように配置されている。これにより、加湿フィルター８は、貯水容器７内の水に、一部、つまり下部が浸漬し、この浸漬した部分から貯水容器７内の水を吸い上げる。
【００１７】
本実施形態における特徴は、吹出口２と貯水容器７とを、本体ケース３の上部に設け、吹出口２から貯水容器７内に貯水された水面が見えることとした点である。
【００１８】
これにより、吹出口２からのぞくことで、貯水容器７内に貯水された水面の位置を見ることができるため、容易に水量を確認することができる。また、残水量が少ない場合は、貯水容器７に本体ケース３の上部の吸込口１より給水することができるため、加湿部４に水を補給する場合に、貯水容器７を本体ケース３の側面から取り外し、洗面所等の水道まで運び給水する必要が無くなる。結果として、加湿部４の本体ケース３からの着脱、運搬作業が不要となり、使い勝手が向上する。
【００１９】
具体的には、吹出口２は、本体ケース３の上面に設けられ、吹出口２の下方には、貯水容器７が配置されている。吹出口２は、吹出口２から下方に延びた筒形状の連通ガイド１０を有している。加湿フィルター８は、筒形状であり、一方側開口端が貯水容器７部内の水に浸漬し、他方側開口端が上方に開口している。吹出口２と、加湿フィルター８における他方側開口端から加湿フィルター８内とは、連通ガイド１０によって連通されている。連通ガイド１０の下端開口は、加湿フィルター８の他方側開口端に対向している。吹出口２から注がれた水は、連通ガイド１０を介して貯水容器７内に溜まる。連通ガイド１０は、吹出口２から給水するときの導水路となる。
【００２０】
また、本体ケース３内に吸込口１から送風機５により加湿部４側へ運ばれた風は、加湿フィルター８外周の加湿前風路１１を通り、加湿フィルター８を外周から内部へ通過し、連通ガイド１０内を介して、吹出口２へ抜けることとなる。なお、加湿前風路１１は、加湿フィルター８に流れ込む直前の風路部分であり、送風路６における加湿フィルター８の上流側で貯水容器７と本体ケース３の背面との間と、貯水容器７と本体ケース３の前面側との間と、貯水容器７と本体ケース３の側面側との間に配置されている。
【００２１】
一方、吹出口２から注がれた水は、連通ガイド１０を介して貯水容器７内の水面にあたり飛び跳ね飛散することがあるが、周囲を囲む加湿フィルター８に付着するため、加湿部４を通り越し加湿前風路１１への飛散を抑制できる。よって、加湿部４を本体ケース３の側面から取り外し、加湿前風路１１を拭くお手入れが不要となり、使い勝手が向上する。
【産業上の利用可能性】
【００２２】
本発明にかかる加湿装置は、家庭用や事務所用などの加湿装置として活躍が期待されるものである。
【符号の説明】
【００２３】
１    吸込口
２    吹出口
３    本体ケース
４    加湿部
５    送風機
６    送風路
７    貯水容器
８    加湿フィルター
９    開口部
１０    連通ガイド
１１    加湿前風路
【図１】
2018173182.tif 000003
【図２】
2018173182.tif 000004
【図３】
2018173182.tif 000005